(57)【要約】【課題】部品点数が少なく、構造が簡単で、左右２枚の引戸をフラットな状態で閉鎖でき、良好な開閉動作を行うことができるフラット引戸を提供する。【解決手段】開口部の前縁下部に下レール１０が水平に取り付けられると共に、下レールに対向した前縁上部に上レール２０が水平に取り付けられる。下レールと上レールには各々上段レール溝１１，２２と下段レール溝１２，２１が上下２段に重ねて形成され、さらに下レール１０と上レール２０には上段レール溝１１，２２に連続して下摺動部材収納凹部１３と上摺動部材収納凹部２３が設けられると共に、下段レール溝１２に連続して下摺動ピン収納凹部１４と上摺動ピン収納凹部２４がレール前部にシフトして設けられる。２枚の引戸２，３の下部には、下摺動部材６が下レールの上段レール溝１１に係合して設けられると共に、下摺動ピン７が下レールの下段レール溝１２に係合して設けられる。【選択図】図１
2005282323.tif 000002
【特許請求の範囲】
【請求項１】
被装着部の開口部に摺動可能に装着される２枚の引戸を有するフラット引戸であって、該開口部の前縁下部に下レールが水平に取り付けられると共に、該下レールに対向した前縁上部に上レールが水平に取り付けられ、該下レールと上レールには各々上段レール溝と下段レール溝が上下２段に重ねて形成され、さらに該下レールと上レールには上段レール溝に連続して下摺動部材収納凹部と上摺動部材収納凹部が設けられると共に、該下段レール溝に連続して下摺動ピン収納凹部と上摺動ピン収納凹部がレール前部にシフトして設けられ、該２枚の引戸の下部には、下摺動部材が該下レールの上段レール溝に係合して設けられると共に、下摺動ピンが該下レールの下段レール溝に係合して設けられ、該２枚の引戸の上部には、上摺動部材が該上レールの下段レール溝に係合して設けられると共に、上摺動ピンが該上レールの上段レール溝に係合して設けられ、該２枚の引戸を閉じたとき、該各引戸の下摺動部材が該下レールの上段レール溝から該下摺動部材収納凹部に進入し、該下摺動ピンが下レールの下段レール溝から該下摺動ピン収納凹部に進入すると共に、該上摺動部材が上レールの下段レール溝から該上摺動部材収納凹部に進入し、該上摺動ピンが上レールの上段レール溝から上摺動ピン収納凹部に進入して２枚の引戸がフラット状態となることを特徴とするフラット引戸。
【請求項２】
前記２枚の引戸の前面に鏡が固定されたことを特徴とする請求項１記載のフラット引戸。
【請求項３】
前記下摺動ピンの下端部に鋼球が回転自在に配設されたことを特徴とする請求項１記載のフラット引戸。
【請求項４】
前記下レール、上レール、下摺動部材、下摺動ピン、上摺動部材、及び上摺動ピンが各々合成樹脂により型成形されたことを特徴とする請求項１記載のフラット引戸。
【請求項５】
前記下レールと上レールは、長手方向に複数に分割した分割レール部材として合成樹脂により型成形され、分割した各分割レール部材を繋ぎ合せて前記被装着部の前縁下部と前縁上部に固定されることを特徴とする請求項１記載のフラット引戸。
【請求項６】
前記分割レール部材の内側にはリブにより補強された空間が形成され、一端に嵌入凹部が形成されると共に、他端に嵌合凸部が形成され、該嵌入凹部側の端部を切断して該分割レール部材の長さを短く調整することを特徴とする請求項５記載のフラット引戸。                                                                        
【発明の詳細な説明】
【技術分野】
【０００１】
本発明は、例えばカウンターの上部キャビネットの前面扉或いは鏡付きスライド扉などに好適に使用可能なフラット前面を有したフラット引戸に関する。
【背景技術】
【０００２】
従来、例えば、洗面化粧台において、カウンターの上方に上部キャビネットを設け、そのキャビネットの正面扉の前面に鏡が固定されたものが、下記特許文献１などで各種提案されている。
【０００３】
この種のカウンターの上方に鏡扉付きキャビネットを備えた洗面化粧台は、正面の鏡の内側に収納容積の大きいキャビネットが形成できるため、使用者は、洗面道具、化粧品など多くの収納物を収納でき、また、鏡付きの扉を開閉するだけで、便利に使用することができるため、この種の洗面化粧台は広く普及されるに至っている。
【０００４】
一方、近年、洗面化粧台は大型化する傾向にあり、それに伴いカウンター上方のキャビネットも大型化したものが製造されているが、大型のキャビネットには、面積の広い大型の鏡付き開閉扉がヒンジを介して開閉可能に装着されることになる。このため、必然的に開閉扉の重量が増大し、それを支えるヒンジやキャビネットの構造も強固にして大型化する必要があり、デザイン的な制限があって、洗面化粧台の大型化には限界があった。
【特許文献１】特開平５−１７６８５１号公報
【特許文献２】特開平５−１３３１５７号公報
【発明の開示】
【発明が解決しようとする課題】
【０００５】
そこで、洗面化粧台の上部キャビネットの正面扉を引戸とすることが検討されたが、キャビネットの正面扉を左右２枚の引戸とし、各々の前面に鏡を固定した場合、左右２枚の引戸は前後方向に段差があるため、そこに固定された２枚の鏡にも必然的に段差ができ、２枚の鏡を１枚の鏡のように広く使用できない不具合が生じる。
【０００６】
このため、引戸としてフラット前面を有したフラット引戸の採用が検討された。フラット引戸としては、従来、家具や建物に使用され、閉鎖した状態で、両側の引戸の前面がフラットになる構造のものが、上記特許文献２などにより提案されているが、この種の従来のフラット引戸は、案内レールのガイド溝に対し傾斜して交差する摺動部材を移動可能に配設する必要があるなど、部品点数が多く、複雑な構造を有しており、そのために、長期の使用によっては摺動部分、可動部分に劣化が生じ、引戸の動きが阻害されやすいという課題があった。
【０００７】
本発明は、上述の課題を解決するものであり、部品点数が少なく、構造が簡単で、左右２枚の引戸をフラットな状態で閉鎖でき、良好な開閉動作を行うことができるフラット引戸を提供することを目的とする。
【課題を解決するための手段】
【０００８】
本発明に係るフラット引戸は、被装着部の開口部に摺動可能に装着される２枚の引戸を有するフラット引戸であって、該開口部の前縁下部に下レールが水平に取り付けられると共に、該下レールに対向した前縁上部に上レールが水平に取り付けられ、該下レールと上レールには各々上段レール溝と下段レール溝が上下２段に重ねて形成され、さらに該下レールと上レールには上段レール溝に連続して下摺動部材収納凹部と上摺動部材収納凹部が設けられると共に、該下段レール溝に連続して下摺動ピン収納凹部と上摺動ピン収納凹部がレール前部にシフトして設けられ、該２枚の引戸の下部には、下摺動部材が該下レールの上段レール溝に係合して設けられると共に、下摺動ピンが該下レールの下段レール溝に係合して設けられ、該２枚の引戸の上部には、上摺動部材が該上レールの下段レール溝に係合して設けられると共に、上摺動ピンが該上レールの上段レール溝に係合して設けられ、該２枚の引戸を閉じたとき、該各引戸の下摺動部材が該下レールの上段レール溝から該下摺動部材収納凹部に進入し、該下摺動ピンが下レールの下段レール溝から該下摺動ピン収納凹部に進入すると共に、該上摺動部材が上レールの下段レール溝から該上摺動部材収納凹部に進入し、該上摺動ピンが上レールの上段レール溝から上摺動ピン収納凹部に進入して２枚の引戸がフラット状態となることを特徴とする。
【０００９】
ここで、上記フラット引戸においては、両側の引戸の前面に鏡を固定し、引戸の閉鎖時に大形の鏡がその前面にフラットな状態で配置されるようにすることができる。また、上記下摺動ピンにおいては、その下端部に鋼球を回転自在に配設する構造とすれば、摺動時の摩擦抵抗を低減することができる。また、上記下レール、上レール、下摺動部材、下摺動ピン、上摺動部材、及び上摺動ピンは、各々合成樹脂により型成形することができ、これにより、フラット引戸の良好な開閉性能を保持しながら、金属製のものに比べ製造コストを大きく低減することができる。
【００１０】
さらに、この下レールと上レールは、合成樹脂により成形する場合、長手方向に複数に分割し分割レール部材として成形し、各分割レール部材を繋ぎ合せるように組み付けて敷設することができる。また、この場合、分割形成した各分割レール部材は、片側を切断して使用可能な構造とすれば、最も長尺の分割レール部材を予め型成形により製造しておき、キャビネットなどに敷設するレールの長さに応じて各分割レールの片側を切断して使用可能とし、これにより、各種の長さのレールを一種類の成形型によって安価に製作することができる。
【発明の効果】
【００１１】
上記構成のフラット引戸は、例えばキャビネットの開口前部に摺動可能に配設され、その両側引戸の前面に鏡を取り付け、鏡付きのフラット引戸として使用することができる。両側の引戸を閉じたとき、各引戸の下摺動部材が下レールの上段レール溝からレール前部の下摺動部材収納凹部に進入し、下摺動ピンが下レールの下段レール溝からレール前部の下摺動ピン収納凹部に進入すると共に、上摺動部材が上レールの下段レール溝からレール前部の上摺動部材収納凹部に進入し、上摺動ピンが上レールの上段レール溝からレール前部の上摺動ピン収納凹部に進入して停止する。このため、２枚の引戸は平坦なフラット状態となって閉鎖されるから、両側の引戸の前面に鏡を取り付けた場合、引戸を開放しない閉鎖状態においては、引戸の前面の２枚の鏡を段差なしの平板状態として、大形の１枚の鏡のように広く便利に使用することができる。
【００１２】
一方、引戸を開く場合は、一方の引戸の外側を手前に引き、内側（中央側）を奥に押し込むようにすると、その引戸は、下摺動ピンと上摺動ピンを軸にして、引戸の中央側を内側に入れるように回動し、これによって、下摺動部材が、下レールの下摺動部材収納凹部から上段レール溝に進入し、上摺動部材が上レールの上摺動部材収納凹部から下段レール溝に進入して係合する。
【００１３】
その状態で、一方の引戸を他方の引戸の背面側に進入させるように引けば、引戸の下摺動部材が下レールの上段レール溝を摺動して開放側に進み、下摺動ピンが下レールの下段レール溝を摺動して開放側に進むと共に、引戸の上摺動部材が上レールの下段レール溝を摺動して開放側に進み、上摺動ピンが上レールの上段レール溝を開放側に進む。これによって、一方の引戸が他方の引戸の背面側に収納されて、キャビネットの前部が開放される。
【００１４】
上記構成のフラット引戸は、レールが下レールと上レールのみから簡単に構成され、引戸の下部に取り付けた下摺動部材と下摺動ピン、及び上部に取り付けた上摺動部材と上摺動ピンを、上下レールのレール溝に係合させるだけで、簡単に装着することができる。また、従来のフラット引戸のように補助的な摺動部材をレール上に使用していないため、部品点数が少なく、簡単に組み付けることができ、使用に伴う摺動部分の劣化も少なくすることができる。
【発明を実施するための最良の形態】
【００１５】
以下、本発明の一実施形態を図面に基づいて説明する。図１はフラット引戸を装着したキャビネットの斜視図を示している。このキャビネットは、例えば洗面化粧台のカウンターの上方に配設されるキャビネットとして使用されるもので、そのキャビネットの正面開口部の前縁部に２枚の引戸２，３からなるフラット引戸が、下レール１０と上レール２０上を走行可能に装着される。
【００１６】
引戸２，３の本体は例えば合板により形成され、その合板本体の前面に、各々、鏡４，５が固着され、各引戸２，３の外側の端部には把手２ａ，３ａが設けられている。さらに、図２、図３に示すように、各引戸２，３の下端部には下摺動部材６と下摺動ピン７が下に突き出すように取り付けられている。下摺動部材６は、図４に示すように、略Ｌ型の形成された取付部６ａの下部に略小判型の摺動部６ｂを例えば合成樹脂により一体成形して形成されている。摺動部６ｂは後述の下レール１０の上段レール溝１１に係合して摺動走行可能に形成される。さらに、取付部６ａには引戸２，３の合板本体の厚さ方向にねじ止めするための取付孔が穿設され、摺動部６ｂにも合板本体の上下方向にねじ止めするための取付孔が穿設されている。
【００１７】
下摺動ピン７は、図５に示すように、略Ｌ型の形成された取付部７ａの下部に略円筒型の摺動ピン７ｂを例えば合成樹脂により一体成形して形成されている。摺動ピン７ｂは後述の下レール１０の下段レール溝１２に係合して摺動走行可能に形成され、摺動ピン７ｂの下端には鋼球（ベアリング）７ｃが回転自在に配設され、摺動ピン７ｂが下段レール溝１２を摺動する際、下段レール溝１２の底面に接して、極めて低摩擦力で摺動可能としている。さらに、上記と同様に、取付部７ａには引戸２，３の合板本体の厚さ方向と上下方向にねじ止めするための取付孔が各々穿設されている。
【００１８】
また、各引戸２，３の上端部には上摺動部材８と上摺動ピン９が上に突き出すように取り付けられている。上摺動部材８は、図６に示すように、略Ｌ型の形成された取付部８ａの上部に略小判型の摺動部８ｂを例えば合成樹脂により一体成形して形成され、摺動部８ｂは、後述の上レール２０の下段レール溝２１に係合して摺動走行可能に形成される。さらに、取付部８ａには引戸２，３の合板本体の厚さ方向にねじ止めするための取付孔が穿設され、摺動部８ｂにも合板本体の上下方向にねじ止めするための取付孔が穿設されている。上記下摺動部材６と上摺動部材８とは同一形状とすることができ、このため、同じ部品を兼用して使用することができる。
【００１９】
上摺動ピン９は、図７に示すように、略Ｌ型の形成された取付部９ａの上部に略円筒型の摺動ピン９ｂを例えば合成樹脂により一体成形して形成されている。摺動ピン９ｂは後述の上レール２０の上段レール溝２２に係合して摺動走行可能に形成され、下段レール溝２２内を低摩擦で摺動可能としている。さらに、上記と同様に、取付部９ａには引戸２，３の合板本体の厚さ方向と上下方向にねじ止めするための取付孔が各々穿設されている。
【００２０】
下レール１０は、図８〜図１０に示すように、そのレール本体の上面に、左右の引戸２，３の下部の各々の下摺動部材６と下摺動ピンを係合させ、引戸２，３を左右にスライド可能とするように形成される。すなわち、下レール１０は、長尺のレール本体の上面に、上段レール溝１１と下段レール溝１２を形成し、上段レール溝１１と下段レール溝１２の端部に下摺動部材収納凹部１３と下摺動ピン収納凹部１４を設けて形成される。この下レール１０は、合成樹脂の型成形により一体成形することができ、長尺の場合には、複数の部分に分けて型成形し、それらを組み合わせて一方のレールとしてキャビネットに固定することもできる。
【００２１】
図８に示すように、上記上段レール溝１１は、レール本体の内側寄りに長手方向に沿って直線状に形成され、図１０に示すように、相対的にその幅は広くその深さ浅く形成されている。この上段レール溝１１は、左右の各引戸２，３の下摺動部材６の摺動部６ｂが係合して摺動走行可能な幅に形成され、その上段レール溝１１の略中央部には、図８〜図１０に示すように、前方にシフトして下摺動部材収納凹部１３が溝１１と同じレベルで形成され、各引戸２，３の閉鎖時に、各引戸２，３の中央側寄り、つまり左側の引戸２ではその右端下部の下摺動部材６の摺動部６ｂが、右側の引戸３ではその左端下部の下摺動部材６の摺動部６ｂがそこに嵌入して停止する構造とされる。
【００２２】
一方、下段レール溝１２は、図１０（ｂ）に示すように、上段レール溝１１の下側に沿って形成され、上段レール溝１１の幅より短い幅（摺動ピン７ｂが摺動可能な程度の幅）に形成され、そこを一方の引戸２または３の下摺動部材６の摺動部６ｂと他方の引戸３または２の下摺動ピン７の摺動ピン７ｂが係合して摺動可能としている。さらに、この下段レール溝１２の両側の端部は、図８に示すように、中間位置で、上段レール溝１１から外れて正面側にシフトして形成され、その端部には下摺動ピン収納凹部１４が形成され、各引戸２，３の閉鎖時に、各引戸２，３の中央側下部の下摺動ピン７の摺動ピン７ｂがそこに嵌入して停止する構造である。
【００２３】
図８に示すように、下レール１０は、その中央を通る中心線を軸に左右対称に形成され、上面に形成される上段レール溝１１、下段レール溝１２、及び下摺動部材収納凹部１３、下摺動ピン収納凹部１４も、中央の中心線を軸に左右対称に形成されている。
【００２４】
一方、後述の上レール２０は、この下レール１０と同一形状に形成され、下部に配置される下レール１０と上部に配置される上レール２０とは面対称の関係に、対向してキャビネットの上部と下部に上レール２０と下レール１０が配置される。
【００２５】
すなわち、上レール２０は、図１１に示すように、そのレール本体の下面に、左右の引戸２，３の上部の各々の上摺動部材８と上摺動ピン９を係合させ、引戸２，３を左右にスライド可能とするように形成される。つまりこの上レール２０には、長尺のレール本体の上面に、下段レール溝２１と上段レール溝２２を形成し、下段レール溝２１の端部に上摺動部材収納凹部２３を連続して形成し、上段レール溝２２の端部に上摺動ピン収納凹部２４を連続して形成される。この上レール２０は、上記下レール１０と同じ形状・構造であり、上摺動部材８は下レール１０の下摺動部材６に該当し、上摺動ピン９は下レール１０の下摺動ピン７に該当し、下段レール溝２１と上段レール溝２２は下レール１０の上段レール溝１１と下段レール溝１２に該当する。したがって、上レール２０の詳細な構造の説明は、上記下レール１０の説明に代えて省略する。
【００２６】
なお、上記の如く上レール２０と下レール１０とは同一形状であるから、同じ部品として製作し、兼用して使用することができ、また、引戸２，３の中央寄りの端部に取り付ける下摺動部材６と上摺動部材８も、同一形状であるから、同じ部品として製作し、兼用して使用することができる。
【００２７】
上記のように構成された下レール１０は、例えば洗面化粧台のカウンターの上方に設置されたキャビネット１の開口部の前端下部に沿って固定され、同様に上レール２０は開口部前端上部における下レール１０に対向した位置に固定される。さらに、左右の引戸２，３の前面には鏡４，５が取り付けられ、各引戸２，３の下部には、下摺動部材６と下摺動ピン７が図１２、図１３に示すように、その摺動部６ｂ、摺動ピン７ｂを各々下レール１０の上段レール溝１１、下段レール溝１２に係合させた状態で、その取付部６ａ，７ａと固定ねじを用いて、引戸２，３の合板本体の下部に固定される。同様に、各引戸２，３の上部には、上摺動部材８と上摺動ピン９が図１２、図１３に示すように、その摺動部８ｂ、摺動ピン９ｂを各々上レール２０の下段レール溝２１、上段レール溝２２に係合させた状態で、その取付部８ａ，９ａと固定ねじを用いて、引戸２，３の合板本体の上部に固定される。
【００２８】
そして、両引戸２，３を閉鎖した状態では、図１４の最上部に示すように、引戸２，３の下部の下摺動部材６の摺動部６ｂが下レール１０の下摺動部材収納凹部１３に位置し、下摺動ピン７の摺動ピン７ｂが下レール１０の下摺動ピン収納凹部１４に位置し、さらに、引戸２，３の上部の上摺動部材８の摺動部８ｂが上レール２０の上摺動部材収納凹部２３に位置し、上摺動ピン９の摺動ピン９ｂが上レール２０の上摺動ピン収納凹部２４に位置する。
【００２９】
そして、下レール１０と上レール２０においては、下摺動部材収納凹部１３と上摺動部材収納凹部２３及び下摺動ピン収納凹部１４と上摺動ピン収納凹部２４が、奥に位置するレール溝１１，１２，２１，２２より前部にシフトして位置しているから、図１、図１４に示すように、閉鎖した状態の両引戸２，３は、レールの前部つまりキャビネット１の最も手前の前部に、その鏡４，５をフラットにした状態で、位置することになる。したがって、２枚の鏡の中央に縦の境界線があるものの、２つの鏡４，５による非常に大きな鏡面をキャビネット１の正面に形成することができる。
【００３０】
このような閉鎖された引戸２，３を開く場合、例えば左の引戸２を開く際には、図１４の中段に示すように、左端の把手２ａを持って手前に引く。このとき、引戸２は、下摺動ピン７の摺動ピン７ｂと上摺動ピンの摺動ピン９ｂを軸にして、引戸２の中央側（右端）を内側（キャビネットの内側）に入れるように僅かに回動する。これによって、下摺動部材６の摺動部６ｂが、下レール１０の下摺動部材収納凹部１３から上段レール溝１１に進入し、上摺動部材８の摺動部８ｂが上レール２０の上摺動部材収納凹部２３から下段レール溝２２に進入して係合する。
【００３１】
この状態で、引戸２の把手２ａを右に引けば、図１４の下段に示すように、下摺動ピン７ｂが下レール１０の下段レール溝１２内を摺動し、上摺動ピン９ｂが上レール２０の上段レール溝２２内を摺動すると共に、摺動部６ｂが下レール１０の上段レール溝１１を右方向に摺動し、摺動部８ｂが上レール２０の下段レール溝２１を右方向に摺動して、引戸２は、図１５に示すように、右側に移動する。これにより、左側の引戸２は、右側の引戸３の内側（背面側）に進入して入り込み、最終的に図１５下段に示すような下レール１０と上レール２０の端部まで進入し、引戸２は引戸３の内側に完全に移動した状態で停止する。これにより、キャビネット１の左前部が開放された状態となる。
【００３２】
一方、引戸２を閉じる場合は、図１５下段の開放状態から、引戸２の把手２ａを持って左側に引くと、引戸２の下摺動ピン７ｂが下レール１０の下段レール溝１２内を摺動し、上摺動ピン９ｂが上レール２０の上段レール溝２２内を摺動すると共に、摺動部６ｂが下レール１０の上段レール溝１１を左方向に摺動し、摺動部８ｂが上レール２０の下段レール溝２１を左方向に摺動して、引戸２は左側に移動する。
【００３３】
そして、引戸２がレール１０，２０の左側端部に達したとき、摺動ピン７ｂが下レール１０の下段レール溝１２から下摺動ピン収納凹部１４に進入し、上摺動ピン９ｂが上レール２０の上段レール溝２２から上摺動ピン収納凹部２４に進入する。このとき、図１４の中段に示す状態となる。次に、その把手２ａを少し奥に押すようにすると、引戸２が摺動ピン７ｂ、９ｂを軸に僅かに回動し、下摺動部材６の摺動部６ｂが下レール１０の上段レール溝１１から下摺動部材収納凹部１３に進入し、上摺動部材８の摺動部８ｂが上レール２０の下段レール溝２１から上摺動部材収納凹部２３に進入して停止する。
【００３４】
これによって、２枚の引戸２，３が完全に閉鎖状態となって、平坦なフラット状態となるから、フラット引戸を開放しない閉鎖状態においては、引戸２，３の前面の２枚の鏡４，５を段差なしの平板状態として、１枚の鏡のように広く使用することが可能となる。
【００３５】
図１６は他の実施形態のフラット引戸（左側の引戸）を示している。この引戸は金属フレーム引戸４２として形成され、矩形枠状の金属フレーム４２ｂを外周縁部に設けたものである。矩形枠状に形成された金属フレーム４２ｂの内側には、鏡４２ｃが取り付けられるが、鏡以外のパネルを金属フレーム４２ｂの内側に貼り付けることもできる。
【００３６】
そして、金属フレーム４２ｂの上部には、上記と同様の上摺動部材８と上摺動ピン９が所定位置で上方に突出して取り付けられる。上摺動部材８と上摺動ピン９の構造については、上記と同じ構造であるため、その説明は省略する。また、図１６には現れていないが、金属フレーム４２ｂの下部に、上記と同様の下摺動部材６と下摺動ピン７が所定位置で下方に突出して取り付けられる。また、図１６には右側の引戸は図示されていないが、右側の引戸は左側の金属フレーム引戸４２と左右対称な形状に形成される。
【００３７】
このような構造の金属フレーム引戸４２は、上記と同様に、キャビネットの前開口部の上下に取り付けられた下レール１０と上レール２０に、その下摺動部材６と下摺動ピン７及び上摺動部材８と上摺動ピン９を係合させて、開閉動作可能に装着される。この引戸４２も上記と同様に開閉され、両側の引戸４２を閉じた状態で、両引戸４２の前面はフラット状態となる。
【００３８】
図１７〜図２０は他の実施形態の下レール及び上レールを示している。上述のように、本フラット引戸の下レールと上レールは同じレールを兼用して使用することができるため、ここでは、上下兼用として使用される上下レール３０として説明する。また、上述のように、下レール及び上レールは中心線を軸に左右対称に形成されるため、用紙の大きさの関係から、図１７〜図２０には上下レール３０の左半分のみを示して右半分は省略する。
【００３９】
すなわち、この上下レール３０は、図１７，１８に示すように、その製造時には３分割して成形される。成形材料としてはＡＢＳ樹脂などの耐摩耗性の良好な熱可塑性合成樹脂が使用され、各々の分割レール部材３５，３６，３７が合成樹脂の型成形により形成される。左端の分割レール部材３５は、上段レール溝３１を上面に設けて形成され、その裏面内側は肉抜きのために空間が形成され、その空間内には図１８に示すように、リブが縦横に形成されて補強構造となっている。また、分割レール部材３５の右側の端部には、その右隣の分割レール部材３６の嵌合凸部３６ａをはめ込むための嵌入凹部３５ａが形成されている。さらに、その嵌入凹部３５ａの上面には、固定ねじをねじ込み固定するための固定孔３５ｃが穿設されている。
【００４０】
中間の分割レール部材３６は、その上面に上段レール溝３１が形成され、上段レール溝３１の内側には下段レール溝３２がより深い溝としてその下段に形成され、さらに、その下段レール溝３２の左端に連続して、下摺動ピン収納凹部３４が前方にシフトしてレール部材３６上に設けられている。さらに、分割レール部材３６の左側の端部には、その左隣の分割レール部材３５の嵌入凹部３５ａにはめ込むための嵌合凸部３６ａが形成されている。また、この嵌合凸部３６ａには、上記固定孔３５ｃに対応した位置に固定孔３６ｃが穿設されている。
【００４１】
この固定孔３６ｃの嵌合凸部３６ａの端部からの距離Ｓ２は、上記固定孔３５ｃの嵌入凹部３５ａの端部からの距離Ｓ１より僅かに短く（例えば約０．２ｍｍ）形成される。これにより、嵌入凹部３５ａに嵌合凸部３６ａを嵌入して固定孔３５ｃ、３６ｃに固定ねじを挿入してレールを締付固定する際、分割レール部材３５と３６の上面の間に隙間が生じないようにしている。また、この中間の分割レール部材３６の裏面内部構造も、肉抜きのための空間が形成され、その空間に補強用のリブが縦横に形成されている。
【００４２】
そして、分割レール部材３６の右側の端部には、その右隣の分割レール部材３７の嵌合凸部３７ａをはめ込むための嵌入凹部３６ａが形成され、さらに、その嵌入凹部３６ａの上面には、固定ねじをねじ込み固定するための固定孔３６ｄが穿設されている。
【００４３】
右側の分割レール部材３７は、その上面に上段レール溝３１が形成され、上段レール溝３１の内側には下段レール溝３２がより深い溝としてその下段に形成され、さらに、その上段レール溝３１の右側の前方にシフトするように連続して、下摺動部材収納凹部３３がレール部材３７上に設けられている。さらに、分割レール部材３７の左側の端部には、その左隣の分割レール部材３６の嵌入凹部３６ｂにはめ込むための嵌合凸部３７ａが形成されている。また、この嵌合凸部３７ａには、上記固定孔３６ｄに対応した位置に固定孔３７ｃが穿設されている。
【００４４】
この固定孔３７ｃの嵌合凸部３７ａの端部からの距離Ｓ２は、上記固定孔３６ｄの嵌入凹部３６ｂの端部からの距離Ｓ１より僅かに短く（例えば約０．２ｍｍ）形成される。これにより、嵌入凹部３６ｂに嵌合凸部３７ａを嵌入して固定孔３６ｄ、３７ｃに固定ねじを挿入してレールを締付固定する際、分割レール部材３６と３７の上面の間に隙間が生じないようにしている。また、この右端の分割レール部材３７の裏面内部構造も、肉抜きのための空間が形成され、その空間に補強用のリブが縦横に形成されている。
【００４５】
このように構成された分割レール部材３５，３６，３７からなる上下レール３０は、フラット引戸のレールとして、引戸が装着される例えばキャビネットの前開口部の上部と下部に水平に対向して取り付けられる。つまり、下側にレールは上下レール３０が上向きに取り付けられ、上側レールは同じ上下レール３０が下向きに取り付けられる。
【００４６】
そして、上下レール３０がキャビネットに取り付けられる際、分割レール部材３５，３６，３７が図１７，１８に示すように一列に連結されて固定ねじにより固定される。固定する場合、左の分割レール部材３５の嵌入凹部３５ａに中間の分割レール部材３６の嵌合凸部３６ａをはめ込み、中間の分割レール部材３６の嵌入凹部３６ｂに右の分割レール部材３７の嵌合凸部３７ａをはめ込み、図示しない固定ねじをその連結部の固定孔３５ｃ、３６ｃ、及び３６ｄ、３７ｃに差し込み、キャビネット側のフレームにねじ込むように固定する。
【００４７】
このように、上下レール３０を複数の分割レール部材３５〜３７に分割して形成することにより、大形の成形型を必要としないことに加え、後述のように、最大の長さのレールを予め製作しておけば、それ以内の長さのレールであれば、分割レール部材を適当な長さに切断して繋ぎ合わせることにより、容易に製作することができる。
【００４８】
すなわち、図２０（ａ），（ｂ）に示すように、より短い上下レール３００または３０１が必要な場合、上記左側の分割レール部材３５の右端を任意の長さだけ切断し、同様に中間の分割レール部材３６の右端を任意の長さだけ切断し、それらを上記と同様に連結して使用する。上述のように分割レール部材３５，３６の裏面内側は、肉抜きのための空間がリブと共に形成されているため、切断後にも上記嵌入凹部３５ａ、３６ｂと同様の嵌入凹部をその切断端部に形成することができる。このように、上下レールを複数の分割レール部材に分割して構成し、各分割レール部材の端部を切断して連結可能な構造とすれば、最大の長さの上下レールを予め製作しておくことにより、その未満の長さのレールについては、各分割レール部材の端部を切断し、そしてそれらを連結すれば、図２０（ａ）（ｂ）のように長さのより短い上下レール３００、３０１を、簡単且つ安価に製作することができる。
【００４９】
なお、上記実施形態では、洗面化粧台のカウンターの上方に配設されるキャビネット用の扉に、本フラット引戸を適用した例を説明したが、洗面化粧台のほかにも、フラット引戸を使用可能な各種の家具に本発明は適用することが可能である。また、上記では下摺動ピン７の下端に鋼球を配設したが、鋼球を使用せずに下摺動ピンの下端部に例えば半球型の滑動部を設け、その滑動部における合成樹脂の摺動性により、下摺動ピンを摺動させることもできる。
【図面の簡単な説明】
【００５０】
【図１】本発明の一実施形態を示すフラット引戸の斜視図である。
【図２】左側引戸２の下からの斜視図である。
【図３】左側引戸２の上からの斜視図である。
【図４】下摺動部材の斜視図である。
【図５】下摺動ピンの斜視図である。
【図６】上摺動部材の斜視図である。
【図７】上摺動ピンの斜視図である。
【図８】下レールの斜視図である。
【図９】下レールの部分平面図である。
【図１０】（ａ）は図９のＸａ−Ｘａ断面図、（ｂ）はＸｂ−Ｘｂ断面図である。
【図１１】上レールの斜視図である。
【図１２】図１におけるXII−XII拡大断面図である。
【図１３】図１におけるXIII−XIII拡大断面図である。
【図１４】引戸２を開く際の説明平面図である。
【図１５】引戸２を開く際の説明平面図である。
【図１６】他の実施形態の金属フレーム引戸４２の斜視図である。
【図１７】さらに他の実施形態の上下レール３０の分解斜視図である。
【図１８】同上下レール３０の平面図である。
【図１９】（ａ）、（ｂ）、（ｃ）、（ｄ）は、各々、図１８におけるａ−ａ線，ｂ−ｂ線，ｃ−ｃ線，ｄ−ｄ線断面図である。
【図２０】（ａ）（ｂ）は、各々長さのより短い上下レールの平面図である。
【符号の説明】
【００５１】
１−キャビネット
２，３−引戸
４，５−鏡
６−下摺動部材
７−下摺動ピン
８−上摺動部材
９−上摺動ピン
１０−下レール
１１−上段レール溝
１２−下段レール溝
１３−下摺動部材収納凹部
１４−下摺動ピン収納凹部
２０−上レール
２１−下段レール溝
２２−上段レール溝
２３−上摺動部材収納凹部
２４−上摺動ピン収納凹部
【図１】
2005282323.tif 000003
【図２】
2005282323.tif 000004
【図３】
2005282323.tif 000005
【図４】
2005282323.tif 000006
【図５】
2005282323.tif 000007
【図６】
2005282323.tif 000008
【図７】
2005282323.tif 000009
【図８】
2005282323.tif 000010
【図９】
2005282323.tif 000011
【図１０】
2005282323.tif 000012
【図１１】
2005282323.tif 000013
【図１２】
2005282323.tif 000014
【図１３】
2005282323.tif 000015
【図１４】
2005282323.tif 000016
【図１５】
2005282323.tif 000017
【図１６】
2005282323.tif 000018
【図１７】
2005282323.tif 000019
【図１８】
2005282323.tif 000020
【図１９】
2005282323.tif 000021
【図２０】
2005282323.tif 000022